(57)【要約】【課題】誤動作の少ないゴルフクラブ紛失防止装置を提供すること。【解決手段】ＲＦ−ＩＤモジュール４を倒立格納されるゴルフクラブ８、４５のグリップ部９に設けるとともに、倒立格納される各ゴルフクラブ８のグリップ部９の格納位置となるゴルフバッグ５の底部近傍位置に、前記ＲＦ−ＩＤ読み取りユニット２２に接続されて前記ＲＦ−ＩＤモジュール４との電磁波による通信を実施するためのアンテナ３１を設ける。【選択図】図１
2008079965.tif 000002
【特許請求の範囲】
【請求項１】
ゴルフバッグに格納される各ゴルフクラブに設けられ、記憶されている識別情報を電磁波を用いて送信可能なＲＦ−ＩＤモジュールと、
該ＲＦ−ＩＤモジュールに記憶されている識別情報を読み取るＲＦ−ＩＤ読み取り手段と、
当該ゴルフバッグに格納されている全てのゴルフクラブに設けられたＲＦ−ＩＤモジュールの識別情報を記憶する識別情報記憶手段と、
前記ＲＦ−ＩＤ読み取り手段にて読み取った識別情報と、前記識別情報記憶手段に記憶されている識別情報とを照合する照合手段と、
該照合手段による照合結果が不一致であることを条件に、ゴルフクラブの紛失を報知する報知手段と、
を備え、有底筒状のゴルフバッグに倒立格納されるゴルフクラブの紛失を防止するゴルフクラブ紛失防止装置であって、
前記ＲＦ−ＩＤモジュールを倒立格納されるゴルフクラブのグリップ部に設けるとともに、倒立格納される各ゴルフクラブのグリップ部の格納位置となるゴルフバッグの底部近傍位置に、前記ＲＦ−ＩＤ読み取り手段に接続されて前記ＲＦ−ＩＤモジュールとの電磁波による通信を実施するためのアンテナを設けたことを特徴とするゴルフクラブ紛失防止装置。
【請求項２】
前記ＲＦ−ＩＤモジュールを、前記グリップ部のグリップエンドに設けるとともに、前記アンテナを、前記ゴルフバッグの底部に設けたことを特徴とする請求項１に記載のゴルフクラブ紛失防止装置。
【請求項３】
前記ＲＦ−ＩＤモジュールが、前記グリップ部に着脱自在とされていることを特徴とする請求項１または２に記載のゴルフクラブ紛失防止装置。
【請求項４】
前記ＲＦ−ＩＤモジュールが、前記グリップエンド端面に穿設された通気孔に挿入可能な凸部を有し、グリップエンドの外形状に相似の外形状とされていることを特徴とする請求項３に記載のゴルフクラブ紛失防止装置。
【請求項５】
所定の時間間隔を計時する計時手段と、該計時手段により所定の時間間隔を計時する毎に前記ＲＦ−ＩＤ読み取り手段による読み取りと、前記照合手段による照合を実施するように制御する制御手段とを備えることを特徴とする請求項１〜４のいずれかに記載のゴルフクラブ紛失防止装置。
【請求項６】
保管モードとプレイモードを設定するためのモード設定手段と、保管モードが設定されているときには前記照合手段にて不一致と判定されたときに前記報知手段による報知を実施する保管モード制御を実施する一方、前記プレイモードが設定されているときには、所定の照合条件が成立したときにおいて、前記照合手段にて不一致と判定されたときに前記報知手段による報知を実施するプレイモード制御を実施する制御手段とを備えることを特徴とする請求項１〜５のいずれかに記載のゴルフクラブ紛失防止装置。
【請求項７】
前記識別情報記憶手段は、ゴルフバッグに格納されるパターに設けられたＲＦ−ＩＤモジュールの識別情報を記憶するパター識別情報記憶部を有し、
前記制御手段は、前記パター識別情報記憶部に記憶されている識別情報が、前記ＲＦ−ＩＤ読み取り手段によって一旦読み取りされなくなった後、再度読み取りされたことを前記所定の照合条件とすることを特徴とする請求項６に記載のゴルフクラブ紛失防止装置。
【請求項８】
前記制御部は、前記パター識別情報記憶部に記憶されている識別情報が、前記ＲＦ−ＩＤ読み取り手段によって読み取りされなくなった後、予め定められた所定時間が経過したときに、前記報知手段にてエラー報知を実施することを特徴とする請求項７に記載のゴルフクラブ紛失防止装置。
【請求項９】
ゴルフバッグに格納される少なくともパターに設けられるＲＦ−ＩＤモジュールを、内蔵する電池にて動作が可能とされたアクティブ型ＲＦ−ＩＤモジュールとしたことを特徴とする請求項１〜８のいずれかに記載のゴルフクラブ紛失防止装置。
【請求項１０】
ゴルフバッグに格納されるパターに設けられるＲＦ−ＩＤモジュールに、ゴルフバッグまたはゴルフカートのパター収納ボックスへの当該パターの格納を検知する格納検知手段を設けるとともに、該ＲＦ−ＩＤモジュールを内蔵する電池にて動作が可能とされたアクティブ型ＲＦ−ＩＤモジュールとし、当該パターに設けられたアクティブ型ＲＦ−ＩＤモジュールは、前記格納検知手段による格納の検知に基づいて識別情報を送信し、
前記識別情報記憶手段は、ゴルフバッグに格納されるパターに設けられたＲＦ−ＩＤモジュールの識別情報を記憶するパター識別情報記憶部を有し、
前記パター識別情報記憶部に記憶されている識別情報の送信を前記パターに設けられたアクティブ型ＲＦ−ＩＤモジュールから受信したときに、前記ＲＦ−ＩＤ読み取り手段による読み取りと、前記照合手段による照合を実施することを特徴とする請求項１〜５のいずれかに記載のゴルフクラブ紛失防止装置。
【請求項１１】
前記格納検知手段が、光センサから構成され、光センサにより外光を非検知であるときに格納を検知することを特徴とする請求項１０に記載のゴルフクラブ紛失防止装置。
【発明の詳細な説明】
【技術分野】
【０００１】
本発明は、ゴルフバッグに格納されるゴルフクラブの紛失を防止することのできるゴルフクラブ紛失防止装置に関する。
【背景技術】
【０００２】
従来、これらゴルフクラブ紛失防止装置としては、ゴルフバッグに格納される各ゴルフクラブに固有の識別情報であるＩＤが電磁波によって非接触に読み取り可能とされたＲＦ−ＩＤタグを取付けるとともに、ゴルフバッグの把手部にＲＦ−ＩＤリーダを有する主装置を取り付け、該主装置によって格納される全てのゴルフクラブに取付けられたＲＦ−ＩＤタグのＩＤを読み取って登録しておき、登録されているＩＤの読み取りが不能となった場合に警報を発することで、ゴルフクラブ紛失を防止するものがある（例えば、特許文献１参照）。
【０００３】
【特許文献１】米国特許６９６７５６３号明細書
【発明の開示】
【発明が解決しようとする課題】
【０００４】
しかしながら、特許文献１の装置にあっては、ゴルフバック内に格納されている読み取り対象のゴルフクラブに設けられているＲＦ−ＩＤタグと、読み取りをゴルフバックの外部から実施する主装置との間に、他のゴルフクラブ、特にゴルフクラブのシャフトが介在してしまう場合があり、これらゴルフクラブのシャフトの多くは、金属製であることが殆どであるので、これら金属製のシャフトがＲＦ−ＩＤタグと主装置との間に介在してしまうと、ＲＦ−ＩＤタグを良好に読み取ることができず、そのため、読み取り対象のゴルフクラブがゴルフバック内に格納されているにもかかわらず、警報が発せられる誤動作が発生する場合が多いという問題があった。
【０００５】
本発明は、このような問題点に着目してなされたもので、格納されている各ゴルフクラブに設けられたＲＦ−ＩＤタグの読み取りをより確実に実施でき、よって、誤動作の少ないゴルフクラブ紛失防止装置を提供することを目的とする。
【課題を解決するための手段】
【０００６】
上記課題を解決するために、本発明の請求項１に記載のゴルフクラブ紛失防止装置は、
ゴルフバッグ５、５’に格納される各ゴルフクラブ８、４５、５５に設けられ、記憶されている識別情報（チップＩＤ）を電磁波を用いて送信可能なＲＦ−ＩＤモジュール４、４４と、
該ＲＦ−ＩＤモジュール４、４４に記憶されている識別情報を読み取るＲＦ−ＩＤ読み取り手段（読み取りユニット２２、２７）と、
当該ゴルフバッグ５に格納されている全てのゴルフクラブ８、４５、５５に設けられたＲＦ−ＩＤモジュール４、４４の識別情報を記憶する識別情報記憶手段（不揮発性メモリ２１、格納クラブＩＤテーブル）と、
前記ＲＦ−ＩＤ読み取り手段にて読み取った識別情報と、前記識別情報記憶手段に記憶されている識別情報とを照合する照合手段（制御マイコン（ＭＰＵ）２０、ＩＤ照合処理）と、
該照合手段による照合結果が不一致であることを条件に、ゴルフクラブ８、４５、５５の紛失を報知する報知手段（サウンダ２６）と、
を備え、有底筒状のゴルフバッグ５、５’に倒立格納されるゴルフクラブ８、４５、５５の紛失を防止するゴルフクラブ紛失防止装置であって、
前記ＲＦ−ＩＤモジュール４、４４を倒立格納されるゴルフクラブ８、４５、５５のグリップ部９に設けるとともに、倒立格納される各ゴルフクラブ８、４５、５５のグリップ部９の格納位置となるゴルフバッグ５，５’の底部近傍位置に、前記ＲＦ−ＩＤ読み取り手段に接続されて前記ＲＦ−ＩＤモジュール４、４４との電磁波による通信を実施するためのアンテナ（コイルアンテナ３１，５３、５４）を設けたことを特徴としている。
この特徴によれば、格納されている各ゴルフクラブ８、４５、５５に設けられたＲＦ−ＩＤモジュール４、４４とアンテナとの間に、他のゴルフクラブのシャフトが介在する可能性を大幅に低減できるので、格納されている各ゴルフクラブに設けられたＲＦ−ＩＤモジュールの読み取りをより確実に実施でき、よって、誤動作の少ないゴルフクラブ紛失防止装置を提供できる。
【０００７】
本発明の請求項２に記載のゴルフクラブ紛失防止装置は、請求項１に記載のゴルフクラブ紛失防止装置であって、
前記ＲＦ−ＩＤモジュール４、４４を、前記グリップ部９のグリップエンドに設けるとともに、前記アンテナ（コイルアンテナ３１，５３，５４）を、前記ゴルフバッグ５，５’の底部に設けたことを特徴としている。
この特徴によれば、ＲＦ−ＩＤモジュール４、４４とアンテナとの距離を、非常に小さくできるとともに、これらＲＦ−ＩＤモジュール４、４４とアンテナとの間に他のゴルフクラブのシャフト等が介在することを、ほぼ皆無とすることができるので、ＲＦ−ＩＤモジュール４、４４の読み取りをより確実に実施でき、更に誤動作の少ないゴルフクラブ紛失防止装置を提供できる。
【０００８】
本発明の請求項３に記載のゴルフクラブ紛失防止装置は、請求項１または２に記載のゴルフクラブ紛失防止装置であって、
前記ＲＦ−ＩＤモジュール４、４４が、前記グリップ部９に着脱自在とされていることを特徴としている。
この特徴によれば、ゴルフクラブ８、４５、５５を変更しても、変更後のゴルフクラブにＲＦ−ＩＤモジュール４、４４を容易に付け替えることができる。
【０００９】
本発明の請求項４に記載のゴルフクラブ紛失防止装置は、請求項１〜３のいずれかに記載のゴルフクラブ紛失防止装置であって、
前記ＲＦ−ＩＤモジュール４が、前記グリップエンド端面に穿設された通気孔１０に挿入可能な凸部４’を有し、グリップエンドの外形状に相似の外形状とされていることを特徴としている。
この特徴によれば、ＲＦ−ＩＤモジュール４の着脱を容易に実施できるとともに、ゴルフクラブの使用感がこれらＲＦ−ＩＤモジュールにより損なわれることを、極力防止できる。
【００１０】
本発明の請求項５に記載のゴルフクラブ紛失防止装置は、請求項１〜４のいずれかに記載のゴルフクラブ紛失防止装置であって、
所定の時間間隔を計時する計時手段（ＲＴＣ２３）と、該計時手段により所定の時間間隔を計時する毎に前記ＲＦ−ＩＤ読み取り手段（読み取りユニット２２、２７）による読み取りと、前記照合手段（制御マイコン（ＭＰＵ）２０、ＩＤ照合処理）による照合を実施するように制御する制御手段（制御マイコン（ＭＰＵ）２０）とを備えることを特徴としている。
この特徴によれば、間歇的に読み取りを実施することで、装置の消費電力を抑えることができ、電池２５の消耗を低減できる。
【００１１】
本発明の請求項６に記載のゴルフクラブ紛失防止装置は、請求項１〜５のいずれかに記載のゴルフクラブ紛失防止装置であって、
保管モードとプレイモードを設定するためのモード設定手段（モード切り替えスイッチ１３）と、保管モードが設定されているときには前記照合手段（制御マイコン（ＭＰＵ）２０、ＩＤ照合処理）にて不一致と判定されたときに前記報知手段（サウンダ２６）による報知を実施する保管モード制御（Ｓ４〜Ｓ１３、Ｓｂ４〜Ｓｂ１５）を実施する一方、前記プレイモードが設定されているときには、所定の照合条件（パター４５、５５が返却されたと判断されたこと）が成立したときにおいて、前記照合手段にて不一致と判定されたときに前記報知手段による報知を実施するプレイモード制御（Ｓｐ１〜Ｓｐ２４、Ｓｑ１〜Ｓｑ２０）を実施する制御手段（制御マイコン（ＭＰＵ）２０）とを備えることを特徴としている。
この特徴によれば、例えば、頻繁にゴルフバッグからゴルフクラブを抜き取るインプレーにおいてはプレイモードを設定しておくことで、所定の照合条件が成立しないと報知が実施されないので、これらゴルフクラブの抜き取り毎に報知がなされてしまう煩雑さを解消できる一方、クラブハウス内にいるときのように、インプレーではない場合には、保管モードを設定しておくことで、ゴルフクラブの抜き取り毎に報知が実施されるので、第三者によりゴルフクラブが盗難されることを防止できる。
【００１２】
本発明の請求項７に記載のゴルフクラブ紛失防止装置は、請求項６に記載のゴルフクラブ紛失防止装置であって、
前記識別情報記憶手段（不揮発性メモリ２１、格納クラブＩＤテーブル）は、ゴルフバッグ５、５’に格納されるパター４５，５５に設けられたＲＦ−ＩＤモジュール４、４４の識別情報（チップＩＤ）を記憶するパター識別情報記憶部（格納クラブＩＤテーブルのＮｏ１の記憶領域）を有し、
前記制御手段（制御マイコン（ＭＰＵ）２０）は、前記パター識別情報記憶部に記憶されている識別情報が、前記ＲＦ−ＩＤ読み取り手段（読み取りユニット２２、２７）によって一旦読み取りされなくなった後、再度読み取りされたことを前記所定の照合条件とすることを特徴としている。
この特徴によれば、各ホールにおけるプレーの終了時にパターが格納されたことに応じて照合が実施されるので、各ホール毎にほぼ確実にゴルフクラブの紛失を認識でき、プレーの進行への影響を最小限に抑えることができる。
【００１３】
本発明の請求項８に記載のゴルフクラブ紛失防止装置は、請求項７に記載のゴルフクラブ紛失防止装置であって、
前記制御部（制御マイコン（ＭＰＵ）２０）は、前記パター識別情報記憶部（格納クラブＩＤテーブルのＮｏ１の記憶領域）に記憶されている識別情報が、前記ＲＦ−ＩＤ読み取り手段（読み取りユニット２２、２７）によって読み取りされなくなった後、予め定められた所定時間（抜き取り経過時間）が経過したときに、前記報知手段（サウンダ２６）にてエラー報知を実施することを特徴としている。
この特徴によれば、パター自体を置き忘れた場合や、何らかの影響でパターのＲＦ−ＩＤモジュール４，４４の読み取りが実施できずに照合が不実施であることを認識することができる。
【００１４】
本発明の請求項９に記載のゴルフクラブ紛失防止装置は、請求項１〜８のいずれかに記載のゴルフクラブ紛失防止装置であって、
ゴルフバッグ５’に格納される少なくともパター５５に設けられるＲＦ−ＩＤモジュール４４を、内蔵する電池６４にて動作が可能とされたアクティブ型ＲＦ−ＩＤモジュールとしたことを特徴としている。
この特徴によれば、パターがゴルフバッグに格納されずに、ゴルフカードのパター格納ボックス等に格納された場合でも、パターに設けられるＲＦ−ＩＤモジュールが通信可能距離の比較的大きいアクティブ型ＲＦ−ＩＤモジュール４４であるので、識別情報（チップＩＤ）の読み取りを実施することができる。
【００１５】
本発明の請求項１０に記載のゴルフクラブ紛失防止装置は、請求項１〜５のいずれかに記載のゴルフクラブ紛失防止装置であって、
ゴルフバッグ５’に格納されるパター５５に設けられるＲＦ−ＩＤモジュール４４に、ゴルフバッグ５’またはゴルフカート５０のパター収納ボックス５１への当該パターの格納を検知する格納検知手段（光センサ６５）を設けるとともに、該ＲＦ−ＩＤモジュールを内蔵する電池６４にて動作が可能とされたアクティブ型ＲＦ−ＩＤモジュール４４とし、当該パター５５に設けられたアクティブ型ＲＦ−ＩＤモジュール４４は、前記格納検知手段による格納の検知に基づいて識別情報（チップＩＤ）を送信し、
前記識別情報記憶手段（不揮発性メモリ２１、格納クラブＩＤテーブル）は、ゴルフバッグ５’に格納されるパター５５に設けられたＲＦ−ＩＤモジュール４４の識別情報を記憶するパター識別情報記憶部（格納クラブＩＤテーブルのＮｏ１の記憶領域）を有し、
前記パター識別情報記憶部に記憶されている識別情報の送信を前記パター５５に設けられたアクティブ型ＲＦ−ＩＤモジュール４４から受信したときに、前記ＲＦ−ＩＤ読み取り手段（読み取りユニット２７）による読み取り（Ｓｑ１５）と、前記照合手段（制御マイコン（ＭＰＵ）２０、ＩＤ照合処理）による照合を実施することを特徴としている。
この特徴によれば、パターに設けられたアクティブ型ＲＦ−ＩＤモジュール４４から識別情報を受信したときに、読み取りと照合とを実施すれば良いので、装置（主装置１’）の消費電力を大幅に低減でき、電池の消耗も大幅に低減できる。
【００１６】
本発明の請求項１１に記載のゴルフクラブ紛失防止装置は、請求項１０に記載のゴルフクラブ紛失防止装置であって、
前記格納検知手段が、光センサ６５から構成され、光センサ６５により外光を非検知であるときに格納を検知することを特徴としている。
この特徴によれば、プレー中に、誤ってパター５５を途中まで抜き出そうとして戻した場合にも抜き取りや格納が検知されて、不必要に読み取りと照合とが実施されることを回避できるとともに、パターを中途半端に格納した場合において、格納が検知されずに読み取りと照合とが実施されなくなってしまうことを回避することもできる。
【発明を実施するための最良の形態】
【００１７】
本発明の実施例を以下に説明する。
【実施例１】
【００１８】
本発明の実施例を図面に基づいて説明すると、先ず図1は、本実施例１のゴルフクラブ紛失防止装置が適用されたゴルフバッグ５を示す外観斜視図である。
【００１９】
まず、本実施例１のゴルフクラブ紛失防止装置は、図１に示すように、ゴルフバッグ５を構成する円筒状ケース６の上部開口近傍の外周側面に吊架して設けられている主装置１と、該主装置１と接続ケーブル２を介して接続され、ゴルフバッグ５の底部を成す底部材７に内接するように挿入配置された円形板上のアンテナモジュール３とから主に構成されている。
【００２０】
このアンテナモジュール３は、電波を遮蔽しない円形樹脂板とされており、その内部には、図１並びに図３に示すように、ゴルフバッグ５に格納される各ゴルフクラブ８並びにパター４５のグリップ部９のグリップエンドに装着されたパッシブ型のＲＦ−ＩＤモジュール４との電磁波による非接触データ通信を実施するための、同心螺旋状に配設されたコイルアンテナ３１が内蔵されており、該コイルアンテナ３１が接続ケーブル２を介して主装置１に電気的に接続されている。
【００２１】
本実施例に用いたＲＦ−ＩＤモジュール４は、図２に示すように、グリーンにおいて使用されるボールマーカに酷似した、中心部に凸部４’を有し、その外径がグリップエンドの径とほぼ同一とされた円盤状の形状とされており、グリップエンドに穿設されている通気孔１０に凸部４’を挿入することで、ＲＦ−ＩＤモジュール４を容易にグリップ部９のグリップエンドに装着できるとともに、ＲＦ−ＩＤモジュール４を容易に取外しできるようになっている。尚、このＲＦ−ＩＤモジュール４は外形状をグリップエンドの外形状に併せ円盤状としているが、グリップエンドの外形状が、例えば、四角形や六角形の多角形、または楕円形等の形状であれば、ＲＦ−ＩＤモジュール４の外形状もそれに相似の形状とすればよい。
【００２２】
このＲＦ−ＩＤモジュール４は、アンテナモジュール３と同様に電波を遮蔽しない樹脂製とされており、その内部には、図２に示すように、その一面にＲＦ−ＩＤチップ４２が搭載されているとともに、同心螺旋状のコイルアンテナ４１が形成されたインレット４０が内蔵されている。
【００２３】
この本実施例に用いたＲＦ−ＩＤチップ４２には、各ＲＦ−ＩＤチップ４２に固有の識別情報であるチップＩＤを記憶する図示しないＩＤ記憶部と、アンテナモジュール３に内蔵されているコイルアンテナ３１からの電磁波を受信することにより、コイルアンテナ４１に発生する起電力を整流する図示しない電力回路とを内蔵しており、ＩＤ記憶部に記憶しているチップＩＤを、電力回路にて整流した電力を用いて送信することができるパッシブ型のＲＦ−ＩＤチップ４２とされている。
【００２４】
また、該ＲＦ−ＩＤチップ４２には、ランダム送信回路が搭載されており、複数のＲＦ−ＩＤモジュール４が同一のリーダの読み取り可能領域内に存在する場合においても、これらランダム送信回路により個々のＲＦ−ＩＤチップ４２が、ランダム送信回路において生成される乱数に基づく送信タイミングにおいてチップＩＤを送信することにより、これらチップＩＤを同時に送信し難いようになっており、これら同時送信によるコリジョンの発生を回避して、読み取り可能領域内に存在する複数のＲＦ−ＩＤチップ４２のチップＩＤの読み取りが可能とされている。
【００２５】
このように、本実施例では、ＲＦ−ＩＤモジュール４をボールマーカ状として、各ゴルフクラブ８並びにパター４５のグリップエンドに装着できるようにしており、このようにすることは、図３に示すように、底部材７の上面に配置されたアンテナモジュール３と、これらグリップエンドに装着されたＲＦ−ＩＤモジュール４とアンテナモジュール３とを非常に近接させることができるとともに、これらＲＦ−ＩＤモジュール４とアンテナモジュール３との間に、通信の障害となる障害物、具体的には、金属製の他のゴルフクラブ８やパター４５のシャフト等が介在しないようにできることから好ましいが、本発明はこれに限定されるものではなく、通常において底部材７の多くは電磁波を遮蔽しない樹脂製であるので、該底部材７の下方に形成されている凹部内に、ゴルフバッグ５の外部側からアンテナモジュール３を貼着するようにしてもよい。
【００２６】
ここで、本実施例に用いた主装置１について、図４並びに図５に基づいて説明すると、本実施例の主装置１の外観は、図４に示すように、四角箱状の外観とされており、その前面には、液晶表示装置１１からなる表示部が設けられているとともに、動作中であることを報知するための作動ＬＥＤ１２と、保守モードとプレイモードの切り替えを実施する際に操作されるモード切り替えスイッチ１３と、電源のＯＮ／ＯＦＦを行うためのメインスイッチ１４とが設けられている。
【００２７】
尚、図４における、１５は、報知音が外部に出力される放音部であり、１６は、電池２５を挿抜するための電池ケース蓋である。
【００２８】
この本実施例の主装置１の内部には、図５に示すように、前述の液晶表示装置１１や作動ＬＥＤ１２、モード切り替えスイッチ１３、メインスイッチ１４に加えて、前記コイルアンテナ３１に接続ケーブル２により接続され、各ＲＦ−ＩＤモジュール４の読み取りを実施する読み取りユニット２２と、図６に示す、各ゴルフクラブ８並びにパター４５に装着されたＲＦ−ＩＤモジュール４のＩＤが記憶された格納クラブＩＤテーブル（図６（ａ））や時間設定テーブル（図６（ｂ））が記憶された不揮発メモリ２１と、その時点の時間情報を出力可能とされているとともに、外部からセットされたタイマカウント機能を備えるリアルタイムクロック（ＲＴＣ）２３と、主装置１に装填された電池２５から供給される直流電力を昇圧して主装置１の各部に供給する電源回路２４と、放音部１５に臨むように配置されて各種の警告音を出力するサウンダ２６と、これら各部に対して図５に示すように接続されることで、これら各部の動作を制御する制御マイコン（ＭＰＵ）２０とが設けられている。
【００２９】
この制御マイコン（ＭＰＵ）２０には、該制御マイコン（ＭＰＵ）２０が実施する制御内容が記述された制御プログラムを格納するための不揮発性の内部ＲＯＭが設けられているとともに、各種の処理に利用可能なワークメモリや、各種のデータ入出力を行うＩ／Ｏポートや、データ通信を行うためのシリアルポート等が設けられており、該制御マイコン（ＭＰＵ）２０が制御プログラムを実施して、これら接続されている各部を制御することにより、主装置１の各種の機能が形成されるようになっている。
【００３０】
尚、本実施例において用いた読み取りユニット２２は、コイルアンテナ３１から所定周波数の電磁波を出力することで、ＲＦ−ＩＤモジュール４に対して該ＲＦ−ＩＤモジュール４が動作するための電力を供給する機能を有するとともに、これら電磁波を介して該ＲＦ−ＩＤモジュール４に記憶されているチップＩＤを読み取り、該読み取ったチップＩＤをデジタルデータとして制御マイコン（ＭＰＵ）２０に対して出力する機能を有する。
【００３１】
ここで、本実施例の不揮発メモリ２１に記憶されている格納クラブＩＤテーブルと時間設定テーブルについて説明すると、まず、本実施例の格納クラブＩＤテーブルには、図６（ａ）に示すように、各ゴルフクラブ８並びにパター４５に装着されたＲＦ−ＩＤモジュール４のチップＩＤ毎に、当該チップＩＤのＲＦ−ＩＤモジュール４が装着されたパターを含む各ゴルフクラブの種別データと状態データとが対応付けて記憶されている。
【００３２】
この種別データとしては、種別データ１がパター４５であることを示すデータであり、種別データ０は、パター４５以外のゴルフクラブ８であることを示すデータであって、これら種別データ１であるパター４５に装着されたＲＦ−ＩＤモジュール４のチップＩＤが、Ｎｏ．１レコードとして記憶されるようになっている。
【００３３】
また、状態データは、種別データ１のレコードのみ、つまり、Ｎｏ．１レコードのみが記録対象とされており、その他のレコードについては記憶されないようになっている。そして、該状態データとしては、パター４５が格納されている状態を示す「１」と、パター４５が抜き取られている状態を示す「０」とが更新記憶されることで、該パター４５に装着されたＲＦ−ＩＤモジュール４のチップＩＤが読み取られた時、又は読み取りが不能であった時に、その前の格納状況を該状態データにて特定することにより、後述するように、パターの抜き取りの発生や、パターの返却（格納）の発生を判定できるようになっている。
【００３４】
また、本実施例の時間設定テーブルには、図６（ｂ）に示すように、各時間種別である所定時間Ａ〜Ｃに設定される時間（秒数）が記憶されており、これら時間設定テーブルに記憶された各時間間隔に基づいて、ＲＦ−ＩＤモジュール４の読み取りが実施されるようになっている。
【００３５】
尚、これら時間設定テーブルに記憶されている各設定時間は、書き換え記憶可能な不揮発性メモリ２１に記憶されているので、所定の変更操作、具体的には、モード切り替えスイッチ１３の両モードスイッチを同時に操作することにより起動される設定モードにおいて、液晶表示装置１１に表示される設定メニューから、「設定時間変更」のメニューを選択することで、各設定時間を５秒単位で設定変更できるようになっている。
【００３６】
これら設定される時間としては、設定時間Ｂは、後述するように、保管モードにおけるＲＦ−ＩＤモジュール４の読み取り間隔を決定する時間であるので、この時間が大きいと、例えば、ゴルフバッグ５からゴルフクラブ８やパター４５が抜き取られても、最大で該設定時間Ｂが経過するまでは警報が実施されず、盗難者を見過ごすことになりかねないので、これら設定時間Ｂは、プレイモードにおける読み取り間隔を決定する設定時間Ａに比較して、短めの時間、例えば、図６（ｂ）に示すように、設定時間Ａの６０秒に比較して短い１０秒等の時間を設定することが好ましい。
【００３７】
尚、本実施例では、設定時間Ｃには、所定時間Ａの１０分の１の時間で、小数点以下が切り捨てられた時間が自動的に設定されるようになっている。
【００３８】
以下、本実施例のゴルフクラブ紛失防止装置を構成する主装置１の動作内容を、図７並びに図８に示すフロー図に基づいて説明する。
【００３９】
尚、本実施例では、予め、ゴルフバッグ５に格納されるパター４５に装着されたＲＦ−ＩＤモジュール４のチップＩＤや、該ゴルフバッグ５に格納される各ゴルフクラブ８に装着されたＲＦ−ＩＤモジュール４のチップＩＤが、後述する設定処理を実施することにより読み取りユニット２２にて読み取られて、図６（ａ）の格納クラブＩＤテーブルに記憶されている。
【００４０】
まず、メインスイッチ１４が操作されると、該操作信号が電源回路に入力されることで、電源回路２４から制御マイコン（ＭＰＵ）２０に電力供給が開始されるとともに、該電源回路２４により制御マイコン（ＭＰＵ）２０がリセットされて制御マイコン（ＭＰＵ）２０が起動し、図７の処理が開始される。
【００４１】
該起動により、制御マイコン（ＭＰＵ）２０は、Ｓ１の起動処理を実施する。具体的に該起動処理においては、接続されている各デバイスの動作確認並びに接続確認を実施するとともに、起動確認音をサウンダ２６から出力する。
【００４２】
そして、該起動処理の終了後にＳ２のステップに進み、モード受付け処理を実施する。このモード受付け処理においては、所定時間に亘りモード切り替えスイッチ１３の操作受付けを行う。
【００４３】
このモード受付け処理にて、保守モードのスイッチが選択操作された場合には、保守モードを設定してＳ３のステップに進む一方、プレイモードのスイッチが選択操作された場合には、プレイモードを設定してＳ３のステップに進む。尚、デフォルトの設定としては、保守モードが予め設定されており、所定時間に亘りモード切り替えスイッチ１３の操作が無かったときには、デフォルトの保守モードが設定された状態としてＳ３のステップに進む。
【００４４】
そして、Ｓ３のステップにおいては、設定されているモードが保守モードであるか否かを判定し、保守モードである場合には、図７のＳ４以降の各ステップの処理を実施する一方、保守モードでない場合、つまり、プレイモードである場合には図８のＡに進んで、Ｓｐ１以降の各ステップの処理を実施する。
【００４５】
まず、保守モードにおいて実施される、図７のＳ４以降の各ステップについて説明すると、制御マイコン（ＭＰＵ）２０は、時間設定テーブルにおいて所定時間Ｂに設定されている時間、具体的には１０秒をＲＴＣ２３のタイマにセットした後、Ｓ５のステップに移行する。
【００４６】
このＳ５のステップにおいては、Ｓ４のステップにてセットしたタイマがタイマアップしたか、具体的には、ＲＴＣ２３からのタイマアップ出力の入力があるか否かを判定し、タイマアップ出力の入力が無ければ、Ｓ６のステップに進んでプレイモード操作の有無を判定し、プレイモード操作が無ければＳ７のステップに進んで設定操作の有無を判定し、設定操作が無ければＳ５に戻ることで、Ｓ５→Ｓ６→Ｓ７の各ステップを巡回実施することで、タイマアップの有無、プレイモード操作の有無、設定操作の有無を監視する待機状態となる。
【００４７】
このＳ５〜Ｓ７の待機状態においてプレイモード操作がなされた場合には、該操作がＳ６のステップにて検知されて図８のＡに進み、Ｓｐ１以降のプレイモードにおける処理が実施されるようになる。
【００４８】
また、Ｓ５〜Ｓ７の待機状態において設定操作がなされた場合には、該操作がＳ７のステップにて検知されて、図示しない設定処理ルーチンに進むことで、パター４５や他のゴルフクラブ８に装着されたＲＦ−ＩＤモジュール４のチップＩＤの登録設定や、前述のように各種設定時間の変更設定等を実施できるようになっている。
【００４９】
また、Ｓ５〜Ｓ７の待機状態において、ＲＴＣ２３からのタイマアップ出力の入力があった場合には、該入力によるタイマアップの発生がＳ５のステップにて検知されてＳ８のステップに進むことで、ＩＤ読み取り処理を実施する。具体的に該ＩＤ読み取り処理においては、その時点においてゴルフバッグ５内に格納されているパター４５並びに各ゴルフクラブ８のＲＦ−ＩＤモジュール４の読み取りを実施して、該読み取った各ＩＤを一時記憶する。
【００５０】
そして、Ｓ９のステップに進んで、Ｓ８のステップにおけるＩＤ読み取り処理にて読み取って一時記憶したチップＩＤと、格納クラブＩＤテーブルに記憶されているＩＤとを照合し、格納クラブＩＤテーブルに記憶されている全てのＩＤが、一時記憶されている読み取りＩＤ（チップＩＤ）に存在する、すなわち、全てのＩＤが一致するか否かを判定し、一致する場合は、全てのゴルフクラブ８とパター４５が格納されているものと判断してＳ５のステップに戻ることで、Ｓ５〜Ｓ７の待機状態に移行する一方、一致しない場合には、Ｓ１１のステップに進み、サウンダ２６からゴルフクラブの盗難を報知する所定の盗難報知音の出力を開始させるとともに、液晶表示装置１１に盗難警告メッセージを表示する報知処理を実施した後、Ｓ１２のステップに進んで、報知停止操作待ち状態に移行する。
【００５１】
このＳ１２のステップの報知停止操作待ち状態において、報知停止操作、具体的には、いずれかのモードのモード切り替えスイッチ１３の操作がなされた場合には、報知停止操作有りと判断してＳ１３のステップに進み、Ｓ１１のステップにて開始した盗難報知音の出力と盗難警告メッセージの表示を終了した後、Ｓ５のステップに戻ることで、Ｓ５〜Ｓ７の待機状態に移行する。
【００５２】
つまり、本実施例においては、保管モードに設定されている場合には、Ｓ４〜Ｓ１３の各ステップを制御マイコン（ＭＰＵ）２０が実施することにより、所定時間Ｂに設定されている時間間隔毎にゴルフバッグ５内に格納されているパター４５並びに全てのゴルフクラブ８のＲＦ−ＩＤモジュール４の読み取りを実施して、格納されているべきパター４５並びに全てのゴルフクラブ８に装着されているＲＦ−ＩＤモジュール４のチップＩＤ、すなわち格納クラブＩＤテーブルに記憶されているＩＤと照合して、照合が不一致であること、つまり、読み取りされていないチップＩＤが存在するときに、警報を発することで、パター４５或いはゴルフクラブ８がゴルフバッグ５から抜き取られて盗難されたことが報知されるようになる。
【００５３】
次ぎに、プレイモードが設定されている場合における動作について、以下に説明すると、プレイモードが設定されている場合には、前述のＳ３のステップにて「Ｎｏ」と判定されてＳｐ１のステップに進み、制御マイコン（ＭＰＵ）２０は、まず、時間設定テーブルにおいて所定時間Ａに設定されている時間、具体的には６０秒をＲＴＣ２３のタイマにセットした後、Ｓｐ２のステップに移行する。
【００５４】
このＳｐ２のステップにおいては、Ｓｐ１にてセットしたタイマがタイマアップしたか、具体的には、ＲＴＣ２３からのタイマアップ出力の入力があるか否かを判定し、タイマアップ出力の入力が無ければ、Ｓｐ３のステップに進んで保管モード操作の有無を判定し、保管モード操作が無ければＳｐ４のステップに進んで抜き取り経過時間が所定時間に達しているかを判定し、抜き取り経過時間が所定時間に達していなければＳｐ２に戻ることで、Ｓｐ２→Ｓｐ３→Ｓｐ４の各ステップを巡回実施することで、タイマアップの有無、保管モード操作の有無、抜き取り経過時間の所定時間への到達の有無を監視する待機状態となる。
【００５５】
このＳｐ２〜Ｓｐ４の待機状態において、保管モード操作がなされた場合には、該操作がＳｐ３のステップにて検知されて図７のＢに進み、Ｓ４以降の保管モードにおける処理が実施されるようになる。
【００５６】
また、Ｓｐ２〜Ｓｐ４の待機状態において、ＲＴＣ２３からのタイマアップ出力の入力があった場合には、該入力によるタイマアップの発生がＳｐ２のステップにて検知されてＳｐ９のステップに進むことで、ＩＤ読み取り処理を実施する。具体的に該ＩＤ読み取り処理においては、その時点においてゴルフバッグ５内に格納されているパター４５並びに各ゴルフクラブ８のＲＦ−ＩＤモジュール４の読み取りを実施して、該読み取った各ＩＤを一時記憶する。
【００５７】
そして、Ｓｐ１０のステップに進んで、一時記憶したＩＤ中に、格納クラブＩＤテーブルに種別データとして「１」が記憶されているＩＤ、つまり、パター４５に装着されたＲＦ−ＩＤモジュール４のチップＩＤが含まれているか否か、換言すれば、パター４５に装着されたＲＦ−ＩＤモジュール４のチップＩＤの読み取りが有るか否かを判定する。
【００５８】
そして、パター４５に装着されたＲＦ−ＩＤモジュール４のチップＩＤの読み取りが無かった場合には、Ｓｐ１１のステップに進み、その時点において格納クラブＩＤテーブルに記憶されている状態データ、すなわち、種別データに「１」が記憶されているレコードに対応するパター４５の状態データが、抜き取り状態であることを示す「０」であるか否かを判定する。
【００５９】
該判定において、状態データが「０」である場合には、前回の読み取り時においてもパターが抜き取り状態であって、該抜き取り状態が今回の読み取り時においても継続しているものと判定してＳｐ２〜Ｓｐ４の待機状態に移行する一方、状態データが「１」である場合には、Ｓｐ１２のステップに進んで、新たにパターの抜き取りが発生したものと判定してＳｐ１３のステップに進み、状態データを「１」から「０」に更新した後、時間設定テーブルにおいて所定時間Ｃに設定されている時間、具体的には６秒を所定時間Ａに代えてＲＴＣ２３のタイマにセットした後、抜き取り経過時間の計時を、具体的には経過時間タイマのタイマカウントをスタートさせ（Ｓｐ１５）、Ｓｐ２〜Ｓｐ４の待機状態に移行する。
【００６０】
つまり、抜き取りが発生を特定したときには、読み取り間隔の時間を所定時間Ａの１０分の１である所定時間Ｃに変更することで、該抜き取られたパターが戻されたことを遅滞なく検知できるようにするとともに、抜き取り経過時間の計時を開始して、抜き取り経過時間が所定時間に到達しているかいなかを判定できるようにする。
【００６１】
一方、Ｓｐ１０の判定において、パター４５に装着されたＲＦ−ＩＤモジュール４のチップＩＤの読み取りがあった場合には、Ｓｐ１０からＳｐ１６のステップに進み、その時点において格納クラブＩＤテーブルに記憶されている状態データ、すなわち、種別データに「１」が記憶されているレコードに対応するパター４５の状態データが、格納状態を示す「１」であるか否かを判定する。
【００６２】
該判定において、状態データが「１」である場合には、前回の読み取り時においてもパター４５が格納状態であって、該格納状態が今回の読み取り時においても継続しているものと判定してＳｐ２〜Ｓｐ４の待機状態に移行する一方、状態データが「１」でない場合、つまり状態データが「０」である場合には、Ｓｐ１７のステップに進んで、新たにパター４５の返却（格納）が発生したものと判定してＳｐ１８のステップに進み、状態データを「０」から「１」に更新するとともに、Ｓｐ１５にて開始した計時時間の計時を終了する（Ｓｐ１９）。
【００６３】
そして、Ｓｐ２０のステップに進んで、Ｓｐ９のＩＤ読み取り処理にて読み取って一時記憶したＩＤと、格納クラブＩＤテーブルに記憶されているＩＤとを照合し、格納クラブＩＤテーブルに記憶されている全てのＩＤが、一時記憶されている読み取りＩＤに存在する、すなわち、全てのＩＤが一致するか否かを判定し（Ｓｐ２１）、一致する場合は、パター４５並びに全てのゴルフクラブ８が格納されているものと判断してＳｐ１のステップに戻ることで、所定時間Ａをタイマセットした後、Ｓｐ２〜Ｓｐ４の待機状態に移行する一方、一致しない場合には、Ｓｐ２２のステップに進み、サウンダ２６からゴルフクラブの紛失を報知する所定の紛失報知音の出力を開始させるとともに、液晶表示装置１１に紛失難警告メッセージを表示する報知処理を実施した後、Ｓｐ２３のステップに進んで、報知停止操作待ち状態に移行する。
【００６４】
このＳｐ２３のステップの報知停止操作待ち状態において、報知停止操作、具体的には、いずれかのモードのモード切り替えスイッチ１３の操作がなされた場合には、報知停止操作有りと判断してＳｐ２４のステップに進み、Ｓｐ２２にて開始した紛失報知音の出力と紛失警告メッセージの表示を終了した後、Ｓｐ１のステップに戻ることで、所定時間Ａをタイマセットした後、Ｓｐ２〜Ｓｐ４の待機状態に移行する。
【００６５】
また、抜き取られたパター４５が、何らかの理由、例えば、パター４５自体をグリーンに置き忘れた場合等にあっては、パター４５の返却判断に基づくＳｐ２０のＩＤ照合処理が実施されなくなってしまうので、これらパター４５自体の紛失等を報知する機能を本実施例の主装置１は有しており、具体的には、これらパター４５自体の紛失等が発生した場合には、Ｓｐ１５のステップにて計時開始された経過時間が所定時間に到達することになるので、これら経過時間の所定時間への到達がＳｐ４にて検知されてＳｐ５のステップに進み、サウンダ２６からパター返却が所定時間に亘ってないことを示すパター非返却を報知する所定のエラー報知音の出力を開始させるとともに、液晶表示装置１１にパター非返却警告メッセージを表示する報知処理を実施した後、Ｓｐ６のステップに進んで、報知停止操作待ち状態に移行する。
【００６６】
このＳｐ６のステップの報知停止操作待ち状態において、報知停止操作、具体的には、いずれかのモードのモード切り替えスイッチ１３の操作がなされた場合には、報知停止操作有りと判断してＳｐ７のステップに進み、Ｓｐ５にて開始したエラー報知音の出力とパター非返却警告メッセージの表示を終了した後、経過時間タイマのタイマカウントをリセットした後、再スタートさせて（Ｓｐ８）、Ｓｐ２のステップに戻ることで、Ｓｐ２〜Ｓｐ４の待機状態に移行することで、該報知停止操作の後、パター４５の返却がなされない場合には、再び、所定のエラー報知音の出力がなされるようになる。
【実施例２】
【００６７】
次に、実施例２に係るゴルフクラブ紛失防止装置について説明する。本実施例２のゴルフクラブ紛失防止装置は、実施例１では、ゴルフバッグ５に取付け可能な主装置１とアンテナモジュール３とから構成することで、購入済みのゴルフバッグ５に対してや、買い換えたゴルフバッグ５に対してもゴルフクラブ紛失防止装置を取付けできるようにしているのに対し、本実施例２のゴルフクラブ紛失防止装置は、ゴルフバッグ５’に組み込みされた形態を例示するものであるとともに、前記実施例１では、パター４５並びにゴルフクラブ８に対して同一のＲＦ−ＩＤモジュール４を装着しているのに対し、本実施例では、パターに装着されるＲＦ−ＩＤモジュール４４を、電池を搭載したアクティブ型のＲＦ−ＩＤモジュール４４とすることで、図９に示すように、これらパター５５が、ゴルフバッグ５’以外に、プレーに使用されるゴルフカート５０のパター収納ボックス５１に格納される場合においても、これらパター収納ボックス５１に格納されたパターに装着されるＲＦ−ＩＤモジュール４４のチップＩＤをも読み取ることができるようにされている点が特徴であり、その他の構成は、実施例１と同一であるので、同一である部分は同一の符号を付し、その説明は省略するものとし、前記実施例１からの変更点となる本実施例２の特徴部分について以下に説明する。
【００６８】
まず、本実施例２では、図９に示すように、本実施例２のゴルフクラブ紛失防止装置が適用されたゴルフバッグ５’が、パター収納ボックス５１を備えるゴルフカート５０に搭載されて使用され、本実施例２のパター５５は、ゴルフバッグ５’若しくはパター収納ボックス５１のいずれにも格納できるようになっている。
【００６９】
本実施例のゴルフクラブ紛失防止装置は、図１０に示すように、ゴルフバッグ５’の外周に固設された主装置１’と、ゴルフバッグ５’の底部材７’に内蔵されたパッシブ用アンテナ５３並びにアクティブ用アンテナ５４とから構成されており、これらパッシブ用アンテナ５３並びにアクティブ用アンテナ５４と主装置１’とは、接続ケーブル５２ａ，５２ｂにて接続されている。
【００７０】
本実施例２に用いたパッシブ用アンテナ５３は、実施例１に用いたアンテナモジュール３内に内蔵されていたコイルアンテナ３１と同一のものとされており、これらコイルアンテナ３１を介して、パター５５以外のゴルフクラブ８のグリップエンドに装着されたＲＦ−ＩＤモジュール４からのチップＩＤの読み出しができるように、底部材７’の上方位置に内蔵されているとともに、該コイルアンテナ３１の下方位置であって、コイルアンテナ３１の径内部に該当する位置には、図１１に示すように、パター５５のグリップエンドに装着されたアクティブ型ＲＦ−ＩＤモジュール４４から送信されるチップＩＤが乗調された送信波を受信するためのコイル状とされたアクティブ用アンテナ５４が内蔵されており、これらアクティブ用アンテナ５４により、パター５５がゴルフバッグ５’内に格納された場合でも、外部のパター収納ボックス５１に格納された場合でも、アクティブ型ＲＦ−ＩＤモジュール４４からの電波を受信することができるように構成されている。
【００７１】
まず、本実施例２に用いたアクティブ型ＲＦ−ＩＤモジュール４４について、図１０に基づいて説明すると、本実施例２のアクティブ型ＲＦ−ＩＤモジュール４４は、図１０に示すように、グリップエンドに嵌着可能な凹部６０を有するキャップ形状とされており、その内部には、実施例１とほぼ同様に、その一面にアクティブ用のＲＦ−ＩＤチップ６１が搭載されているとともに、同心螺旋状のコイルアンテナ６２が形成されたインレット６３とともに、ＲＦ−ＩＤチップ６１に動作電力を供給するボタン電池６４とが内蔵されていて、凹部６０内側の底面にあたる部分には該ボタン電池６４の蓋６６を有する。そして、該ボタン電池６４の電力を使用して、比較的強度の強い電波を送信することで、パッシブ型のＲＦ−ＩＤモジュール４に比較して、アクティブ用アンテナ５４との距離が比較的大きい場合、具体的には、数メートル程度でも、チップＩＤの読み取りが実施できるとともに、ＲＦ−ＩＤモジュール４４側から任意にチップＩＤの送信ができるようになっている。
【００７２】
また、本実施例２のアクティブ型ＲＦ−ＩＤモジュール４４には、本発明における格納検知手段となる外光を検知するための光センサ６５が内蔵されていて、該光センサ６５の光検知出力がＲＦ−ＩＤチップ６１に入力されるようになっていて、光センサ６５の光検知出力が所定以上に変化したとき、すなわち、パター５５がゴルフバッグ５’またはパター収納ボックス５１から抜き取られたとき並びに返却されたときに、ＲＦ−ＩＤモジュール４４が自らチップＩＤを発信（送信）するように構成されている。
【００７３】
また、本実施例２の主装置１’は、図１２に示すように、実施例１とほぼ同様の構成とされているが、その特徴として、パッシブ用アンテナ５３に接続ケーブル５２ａにより接続され、各ＲＦ−ＩＤモジュール４の読み取りを実施する読み取りユニット２２に加えて、アクティブ用アンテナ５４に接続ケーブル５２ｂにより接続され、パター５５に装着されたＲＦ−ＩＤモジュール４４の読み取りを実施する読み取りユニット２７を備えた構成とされている。
【００７４】
以下、本実施例２のゴルフクラブ紛失防止装置を構成する主装置１’の動作内容を、図１３並びに図１４に示すフロー図に基づき、実施例１からの変更点ついて主に説明する
【００７５】
まず、メインスイッチ１４が操作されると、第１実施例と同様に制御マイコン（ＭＰＵ）が起動し、図１３の処理が開始される。
【００７６】
図１３のＳｂ１、Ｓｂ２の各ステップは、図７のＳ１、Ｓ２の各ステップと同一であるので、詳細な説明を省略する。そして、Ｓｂ３では、その時点において設定されているモードが保守モードなのか否かを判断し、保守モードならば、Ｓｂ４以降の各ステップの処理を実施する一方、保守モードではない場合、つまり、プレイモードでである場合には図１４のＣに進んでＳｑ１以降の各ステップの処理を実施する。
【００７７】
保守モードにおいて実施される図１３のＳｂ４、Ｓｂ５の各ステップは、図７のＳ４、Ｓｂ５の各ステップと同一動作、つまり、Ｓｂ４のステップで所定時間ＢをタイマにセットしてＳｂ５のステップでタイマアップを監視する。Ｓｂ５のステップにてタイマアップ出力の入力がなければ、Ｓｂ６のステップに進んでアクティブアンテナ５４に受信があるか否かを判定し、受信が無ければＳｂ８のステップに進んでプレイモード操作の有無を判定し、プレイモード操作が無ければＳｂ９のステップに進んで設定モード操作の有無を判定し、設定モード操作が無ければＳｂ５に戻ることで、Ｓｂ５→Ｓｂ６→Ｓｂ７→Ｓｂ８の各ステップを巡回実施することでタイマアップの有無、アクティブアンテナ５４への受信の有無、プレイモード操作の有無、設定モード操作の有無を監視する待機状態となる。
【００７８】
このＳｂ５〜Ｓｂ８の待機状態において、パター５５のグリップエンド９に嵌着されているＲＦ−ＩＤモジュール４４に設けられている光センサ６５が、光検知出力が所定以上に変化した事、つまり、パター５５がゴルフバッグ５’もしくはパター収納ボックス５１から抜き出されたか、又は返却された事によりＲＦ−ＩＤモジュール４４からチップＩＤが発信（送信）された場合、具体的には、保管中にゴルフバッグ５’から、少なくともパター５５を含むゴルフクラブが第三者等により盗難された場合には、該発信（送信）されたチップＩＤのアクティブアンテナ５４による受信が、Ｓｂ６のステップにおいて検知されてＳｂ９のステップに進む。
【００７９】
そして、該Ｓｂ９のステップにおいては、Ｓｂ６のステップにて受信したチップＩＤが図６の格納クラブＩＤテーブルのＮｏ．１のレコードに記憶されたパター５５のＩＤと一致したか否かを判定し、一致すればＳｂ５のステップに戻ってＳｂ５〜Ｓｂ８の待機状態となり、一致しなければＳｂ１３のステップに進み報知処理を行う。尚、Ｓｂ１３〜Ｓｂ１５の各ステップによる処理は、実施例１のＳ１１〜Ｓ１３の各ステップの処理と同一であり、報知停止操作があるまで報知が継続されることにより、盗難が発生したことが継続して報知される。
【００８０】
また、Ｓｂ５〜Ｓｂ８の待機状態において、プレイモード操作がなされた場合には、該操作がＳｂ７に検知されて図１４のＣに進み、図１４のＳｑ１以降のプレイモードにおける処理が実施されるようになる。
【００８１】
また、Ｓｂ５〜Ｓｂ８の待機状態において、設定モード操作がなされた場合には、該操作がＳｂ８に検知されて、図示しない設定処理ルーチンに進むことで、前述したように、パター５５や他のゴルフクラブ８に装着されたＲＦ−ＩＤモジュール４、４４のチップＩＤの登録設定や、前述のように各種設定時間の変更設定等を実施できるようになっている。
【００８２】
また、Ｓｂ５〜Ｓｂ８の待機状態にてタイマアップ出力の入力があった場合には、該タイマアップ出力の入力がＳｂ５のステップにて検出されてＳｂ１０のステップに進むことにより、ＩＤ読み込み処理を実施する。
【００８３】
本実施例２におけるＳｂ１０のＩＤ読み込み処理においては、パッシブアンテナ５３を介しての読み取りユニット２２によるＲＦ−ＩＤモジュール４の読み取りとともに、アクティブアンテナ５４を介しての読み取りユニット２７によるＲＦ−ＩＤモジュール４４の読み取りを実施して、ゴルフバッグ５’内に格納されているすべてのクラブの読み取りを実施し、該読み取ったチップＩＤを一時記憶する。
【００８４】
そして、Ｓｂ１１のステップに進み、これらＳｂ１０のＩＤ読み込み処理にて一時記憶したチップＩＤと、格納クラブＩＤテーブルに記憶されているＩＤとを照合し、格納クラブＩＤテーブルに記憶されている全てのＩＤが、一時記憶されている読み取りＩＤに存在する、すなわち、全てのＩＤが一致するか否かを判定し、一致する場合は、全てのゴルフクラブ８とパター５５が格納されているものと判断してＳｂ５のステップに戻ることで、Ｓｂ５〜Ｓｂ８の待機状態に移行する一方、一致しない場合には、Ｓｂ１３のステップに進むことで、実施例１の図７におけるＳ１１〜Ｓ１３の各ステップと同一であるＳｂ１３〜Ｓｂ１５の各ステップを実施することで、報知停止操作があるまで報知が継続されることにより、盗難が発生したことが継続して報知される。
【００８５】
次ぎに、プレイモードが設定されている場合における動作について、以下に説明すると、プレイモードが設定されている場合には、前述のＳｂ３のステップにて「Ｎｏ」の判定、Ｓｂ８で「Ｙｅｓ」と判定されてＳｑ１に進む。制御マイコン（ＭＰＵ）２０は、まず、アクティブアンテナ５４に受信があるか否かを判定し、受信が無ければＳｑ２のステップに進んで保管モード操作の有無を判定し、保管モード操作が無ければＳｑ３のステップに進んで抜き取り経過時間が所定時間に達しているかを判定し、抜き取り経過時間が所定時間に達していなければＳｑ１に戻ることで、Ｓｑ１→Ｓｑ２→Ｓｑ３の各ステップを巡回実施することで、アクティブアンテナ５４によるＲＦ−ＩＤモジュール４４からの受信の有無、保管モード操作の有無、抜き取り経過時間の所定時間への到達の有無を監視する待機状態となる。
【００８６】
このＳｑ１〜Ｓｑ３の待機状態において、保管モード操作がなされた場合には、該操作がＳｑ２のステップにて検知されて図１３のＤに進み、Ｓｂ４以降の本実施例２の保管モードにおける処理が実施されるようになる。
【００８７】
このＳｑ１〜Ｓｑ３の待機状態において、後述するＳｑ１１により計時が開始される抜き取り経過時間が所定時間に到達した場合には、該到達がＳｑ３のステップにて検知されてＳｑ４のステップに進むことで、実施例１における図７のＳｐ５〜Ｓｐ８の各ステップと同一のＳｑ４〜Ｓｑ７の各ステップを実施することで、パターが所定時間以上に亘り、返却されていないことが報知されるようになる。
【００８８】
また、Ｓｑ１〜Ｓｑ３の待機状態において、本実施例２の保管モードである図７のＳｂ６において前述したように、パター５５が抜き取り若しくは格納されることにより、光センサ６５の光検知出力が所定以上に変化したことに基づいて、パター５５に装着されたＲＦ−ＩＤモジュール４４からの発信（送信）があった場合には、該発信（送信）されたチップＩＤの受信がＳｑ１のステップにて検知されてＳｑ８のステップに進み、格納クラブＩＤテーブルに種別データとして「１」が記憶されているＩＤ、つまり、パター５５に装着されたＲＦ−ＩＤモジュール４４の状態データが、抜き取りであることを示す「０」であるか否かを判定する。
【００８９】
該判定において否、つまり、状態データが「１」である場合には、前回におけるアクティブアンテナ５４によるチップＩＤの受信時にはパター５５が返却されていた状態であるので、今回の受信時にパター５５が抜き取られたとＳｑ９のステップにて判定して、Ｓｑ１０のステップに進み状態データと「１」から「０」に更新した後、抜き取り経過時間の計時を、具体的には経過時間タイマのタイマカウントをスタートさせ（Ｓｑ１１）、Ｓｑ１〜Ｓｑ３の待機状態に移行する。
【００９０】
つまり、抜き取りが発生を特定したときには、抜き取り経過時間の計時を開始して、抜き取り経過時間が所定時間に到達しているかいなかを判定できるようにする。
【００９１】
また、Ｓｑ８のステップで状態データが「０」であると判定された場合には、前回におけるアクティブアンテナ５４によるチップＩＤの受信時にはパター５５が抜き取られた状態であるので、今回の受信時にパター５５が返却されたとＳｑ９のステップにて判定して、Ｓｑ１３に進み状態データを「０」から「１」に更新した後、Ｓｑ１４のステップに進みＳｑ１１でセットされた計時を終了する。
【００９２】
そして、Ｓｑ１５のステップに進みＩＤ読み取り処理を実行する。具体的に該ＩＤ読み取り処理においては、パッシブアンテナ５３から電磁波をＲＦ−ＩＤモジュール４に供給して、ゴルフバッグ５’内に格納されている全てのＲＦ−ＩＤモジュール４の読み取り、すなわち、その時点においてゴルフバッグ５’内に格納されているパター５５以外のゴルフクラブ８のＲＦ−ＩＤモジュール４を読み取り、該読み取った各ＩＤを一時記憶する。
【００９３】
そしてＳｑ１６のステップに進んで、Ｓｑ１５のＩＤ読み取り処理にて読み取って記憶したＩＤと、格納クラブＩＤテーブルに記憶されている種別が「０」、すなわちパター５５以外のゴルフクラブ８のＩＤと照合し、Ｓｑ１７のステップにて全てのＩＤが一致するか否かを判定し、一致する場合はＳｑ１に戻ることでＳｑ１〜Ｓｑ３の待機状態に移行する。
【００９４】
一方、Ｓｑ１７の判定において一致しない場合には、Ｓｑ１８のステップに進んで、実施例１の図８におけるＳｐ２２〜Ｓｐ２４の各ステップと同一の処理となるＳｑ１８〜Ｓｑ２０の各ステップを実施することで、停止操作がなされるまで紛失報知音の出力と紛失難警告メッセージの出力とが実施され、紛失が発生していることが継続して報知される。
【００９５】
以上、各実施例によれば、ゴルフバッグ５、５’内に格納されているパター４５、５５並びに各ゴルフクラブ８に設けられたＲＦ−ＩＤモジュール４、４４とコイルアンテナ３１との間に、パター４５、５５や他のゴルフクラブ８のシャフトが介在する可能性を大幅に低減できるので、格納されているパター４５、５５並びに各ゴルフクラブ８に設けられたＲＦ−ＩＤモジュール４、４４の読み取りをより確実に実施でき、よって、誤動作の少ないゴルフクラブ紛失防止装置を提供できる。
【００９６】
また、前記各実施例によれば、ゴルフバッグの底部を成す底部材７の上面または底部材７’の内部に、アンテナモジュール３やパッシブアンテナ５３、アクティブアンテナ５４を配置しているので、ＲＦ−ＩＤモジュール４、４４とコイルアンテナ３１や、パッシブアンテナ５３、アクティブアンテナ５４との距離を、非常に小さくできるとともに、これらＲＦ−ＩＤモジュール４、４４とコイルアンテナ３１や、パッシブアンテナ５３、アクティブアンテナ５４との間に他のゴルフクラブのシャフト等が介在することを、ほぼ皆無とすることができるので、ＲＦ−ＩＤモジュール４、４４の読み取りをより確実に実施でき、更に誤動作の少ないゴルフクラブ紛失防止装置を提供できる。
【００９７】
また、前記各実施例によれば、ＲＦ−ＩＤモジュール４、４４がグリップ部９のグリップエンドに着脱可能とされているので、ゴルフクラブを変更しても、変更後のゴルフクラブにＲＦ−ＩＤモジュール４、４４を容易に付け替えることができる。
【００９８】
また、前記実施例１によれば、ＲＦ−ＩＤモジュール４がボールマーカと同様の形状とされているので、ＲＦ−ＩＤモジュール４の着脱を容易に実施できるとともに、ゴルフクラブ８の使用感がこれらＲＦ−ＩＤモジュール４により損なわれる、つまり、ＲＦ−ＩＤモジュール４がプレーの邪魔となることを、極力防止できる。
【００９９】
また、前記各実施例によれば、ＲＦ−ＩＤモジュール４、４４の読み取りを間歇的に実施しているので、これら読み取りに際してＲＦ−ＩＤモジュール４、４４が動作するための電力を生み出す電磁波を出力する回数を低減でき、よって、主装置１、１’の消費電力を抑えることができ、電池の消耗を低減できる。
【０１００】
また、前記各実施例によれば、頻繁にゴルフバッグ５、５’からゴルフクラブ８を抜き取るインプレーにおいてはプレイモードを設定しておくことで、所定の照合条件、つまり、所定時間の経過やパター４５，５５の返却がなされないと、照合結果に基づく報知が実施されないので、これらゴルフクラブ８の抜き取り毎に報知がなされてしまう煩雑さを解消できる一方、クラブハウス内にいるときのように、インプレーではない場合には、保管モードを設定しておくことで、ゴルフクラブ８の抜き取り毎に報知が実施されるので、第三者によりゴルフクラブが盗難されることを防止できる。
【０１０１】
また、前記各実施例によれば、各ホールにおけるプレーの終了時にパター４５、５５が格納されたことに応じて照合が実施されるので、各ホール毎にほぼ確実にゴルフクラブの紛失を認識でき、プレーの進行への影響を最小限に抑えることができる。
【０１０２】
また、前記各実施例によれば、パター４５，５５が抜き取られて、所定時間が経過したときに、エラー報知音が出力されるので、パター４５、５５自体を置き忘れた場合や、何らかの影響でパター４５，５５のＲＦ−ＩＤモジュール４、４４の読み取りが実施できずに照合が不実施であることを認識することができる。
【０１０３】
また、前記実施例２によれば、パター５５がゴルフバッグ５’に格納されずに、ゴルフカート５０のパター格納ボックス５１等に格納された場合でも、パター５５に設けられるＲＦ−ＩＤモジュール４４が通信可能距離の比較的大きいアクティブ型ＲＦ−ＩＤモジュールであるので、識別情報の読み取りを実施することができる。
【０１０４】
また、前記実施例２によれば、パター５５に設けられたアクティブ型ＲＦ−ＩＤモジュール４４から識別情報であるチップＩＤを受信したときに、読み取りと照合とを実施すれば良いので、比較的大きな電力を要するＲＦ−ＩＤモジュール４の読み取り回数を低減でき、よって、主装置１’の消費電力を大幅に低減でき、電池２５の消耗も大幅に低減できる。
【０１０５】
また、前記実施例２によれば、光センサ６５を有しており、外光の非検知に基づいて収納が検知されるので、プレー中に、誤ってパター５５を途中まで抜き出そうとして戻した場合にも抜き取りや格納が誤検知されて、不必要に読み取りと照合とが実施されることを回避できるとともに、パター５５を中途半端に格納した場合において、格納が検知されずに読み取りと照合とが実施されなくなってしまうことも回避できる。
【０１０６】
以上、本発明の実施例を図面により説明してきたが、具体的な構成はこれら実施例に限られるものではなく、本発明の要旨を逸脱しない範囲における変更や追加があっても本発明に含まれる。
【０１０７】
例えば、前記実施例では、アンテナとなるコイルアンテナ３１や、パッシブアンテナ５３並びにアクティブアンテナ５４を、ゴルフバッグ５、５’の底部近傍位置として、底部材７の上面や、底部材７’の内部に設けているが、本発明はこれに限定されるものではなく、これらアンテナとして、図１５に示すように、底部材７が装着される円筒状ケース６の下端部に、コイルアンテナ３３が内蔵された円筒状ケース６の外周に巻き付け可能な円形帯状のアンテナユニット３４を配置するようにしても良い。
【０１０８】
また、前記実施例では、ＲＦ−ＩＤモジュール４、４４をグリップ部９のグリップエンドに設けるようにしており、このようにすることは、プレーに際して、これらＲＦ−ＩＤモジュール４、４４が邪魔になることを回避できることからも好ましいが、本発明はこれに限定されるものではなく、これらＲＦ−ＩＤモジュールを、グリップ部のグリップエンドと反対側の端部位置に設けるようにしても良いし、グリップ部の弾性体内部に形成するようにしても良い。
【０１０９】
また、前記実施例では、ＲＦ−ＩＤモジュール４、４４をグリップ部９に着脱自在としているが、本発明はこれに限定されるものではなく、これらＲＦ−ＩＤモジュール４、４４をグリップエンド部に内蔵するグリップとしても良い。
【０１１０】
また、前記実施例では、ＲＦ−ＩＤモジュール４、４４の読み取りを所定時間の経過に基づき間歇的に実施するようにしているが、本発明はこれに限定されるものではなく、これらの読み取りを常時、継続的に実施するようにしても良い。
【０１１１】
また、前記実施例では、各ＲＦ−ＩＤチップ４２に固有のチップＩＤを記憶しているが、本発明はこれに限定されるものではなく、パター以外のゴルフクラブのチップＩＤを同一ＩＤとし、格納クラブＩＤテーブルには当該パター以外のゴルフクラブのチップＩＤがその本数とともに登録され、読み取り・照合実施においては、当該パター以外のゴルフクラブのチップＩＤを順次読み取り、格納クラブＩＤテーブルに登録されたパター以外のゴルフクラブのチップＩＤと照合する毎にその回数をカウントし、その数と前記登録された本数と一致しなかった場合に報知するようにしてもよい。
【０１１２】
また、前記実施例２では、パッシブアンテナ５３とアクティブアンテナ５４とを個別設けているが、本発明はこれに限定されるものではなく、これらパッシブアンテナ５３とアクティブアンテナ５４とを同一のアンテナとしても良い。
【０１１３】
また、前記実施例２では、格納検知手段として光センサ６５を使用しているが、本発明はこれに限定されるものではなく、これら格納検知手段としては、ゴルフクラブ８やパター４５，５５の格納時には、ＲＦ−ＩＤモジュール４、４４の端面にゴルフクラブ８やパター４５，５５の荷重が印加されるので、これら荷重の有無を圧力センサや圧電素子にて検知することで、格納や抜き取りを検知するようにしても良い。
【０１１４】
また、前記実施例２では、アクティブ型のＲＦ−ＩＤモジュール４４をパター５５にのみに設けており、このようにすることは、電池６４の交換を、パター５５にのみについて実施するのみで良く、これら交換の作業負荷や電池コストを低減できることから好ましいが、本発明はこれに限定されるものではなく、これらＲＦ−ＩＤモジュール４４をパター５５以外の全てのゴルフクラブ８に設けるようにしても良いし、これらパター５５に加えて、アプローチ等に使用するウェッジにも装着するようにしても良い。
【図面の簡単な説明】
【０１１５】
【図１】第１実施例におけるゴルフクラブ紛失防止装置の全体像を示す一部破断斜視図である。
【図２】第１実施例におけるＲＦ−ＩＤモジュールの取り付けの様子を示す一部破断斜視図である。
【図３】第１実施形態におけるゴルフバッグ内でのＲＦ−ＩＤモジュールとアンテナモジュールの位置関係を示すＡ−Ａ断面図である。
【図４】第１実施例における主装置の外観を示す斜視図である。
【図５】第１実施例におけるゴルフクラブ紛失防止装置の構成を示すブロック図である。
【図６】第１実施例におけるＲＦ−ＩＤモジュールのＩＤが記憶された格納クラブＩＤテーブルの構成を示す（ａ）と時間設定テーブル（ｂ）である。
【図７】第１実施例におけるゴルフクラブ紛失防止装置の主装置の内容を示すフロー図である。
【図８】第１実施例におけるゴルフクラブ紛失防止装置の主装置の内容を示すフロー図である。
【図９】第２実施例におけるゴルフクラブ紛失防止装置が適用されたゴルフバッグが搭載されたゴルフカートの斜視図である。
【図１０】第２実施例にて用いたＲＦ−ＩＤモジュール４４の取り付けの状態を示す一部破断斜視図である。
【図１１】第２実施例におけるゴルフクラブ紛失防止装置が適用されたゴルフバッグとパターが格納されたパター収納ボックスの構成を示す断面図である。
【図１２】第２実施例におけるゴルフクラブ紛失防止装置の構成を示すブロック図である。
【図１３】第２実施形態におけるゴルフクラブ紛失防止装置の主装置の内容を示すフロー図である。
【図１４】第２実施形態におけるゴルフクラブ紛失防止装置の主装置の内容を示すフロー図である。
【図１５】その他の変形例におけるゴルフクラブ紛失防止装置が適用されたゴルフバッグを示す断面図である。
【符号の説明】
【０１１６】
１                主装置
１′              主装置
２                接続ケーブル
３                アンテナモジュール
４                ＲＦ−ＩＤモジュール
５                ゴルフバッグ
５′              ゴルフバッグ
６                円筒状ケース
７                底部材
７′              底部材
８                ゴルフクラブ
９                グリップ部
１０              通気孔
１１              液晶表示装置
１２              ＬＥＤ
１３              モード切り替えスイッチ
１４              メインスイッチ
１５              放音部
１６              電池ケース蓋
２０              ＭＰＵ
２１              不揮発性メモリ
２２              読み取りユニット
２３              リアルタイムクロック（ＲＴＣ）
２４              電源回路
２５              電池
２６              サウンダ
２７              読み取りユニット
３１              コイルアンテナ
４０              インレット
４１              コイルアンテナ
４２              パッシブ型ＲＦ−ＩＤチップ
４４              ＲＦ−ＩＤモジュール
５０              ゴルフカート
５１              パター収納ボックス
５２ａ            接続ケーブル
５２ｂ            接続ケーブル
５３              パッシブアンテナ
５４              アクティブアンテナ
５５              パター
６０              凹部
６１              アクティブ用ＲＦ−ＩＤチップ
６２              コイルアンテナ
６３              インレット
６４              ボタン電池
６５              光センサ
６６              蓋
【図１】
2008079965.tif 000003
【図２】
2008079965.tif 000004
【図３】
2008079965.tif 000005
【図４】
2008079965.tif 000006
【図５】
2008079965.tif 000007
【図６】
2008079965.tif 000008
【図７】
2008079965.tif 000009
【図８】
2008079965.tif 000010
【図９】
2008079965.tif 000011
【図１０】
2008079965.tif 000012
【図１１】
2008079965.tif 000013
【図１２】
2008079965.tif 000014
【図１３】
2008079965.tif 000015
【図１４】
2008079965.tif 000016
【図１５】
2008079965.tif 000017